(57)【特許請求の範囲】
【請求項１】
下り共有チャネルを受信する受信部と、
前記下り共有チャネルに用いられる変調符号化方式（ＭＣＳ）インデックス値に対応するトランスポートブロックサイズ（ＴＢＳ）インデックス値と、前記下り共有チャネルに割り当てられるリソースブロック（ＲＢ）数とに基づいて、前記下り共有チャネルに用いられるＴＢＳを取得する制御部と、を具備し、
前記制御部は、前記下り共有チャネルが特定の送信方式で送信され、かつ、前記ＭＣＳインデックス値が特定の値である場合、該特定の値に対応するＴＢＳインデックス値が変更され、変更されたＴＢＳインデックス値と前記ＲＢ数とに基づいて、前記ＴＢＳを取得することを特徴とするユーザ端末。
【請求項２】
前記制御部は、前記変更されたＴＢＳインデックス値の適用を示す指示情報が上位レイヤ制御情報に含まれる場合、前記変更されたＴＢＳインデックス値と前記ＲＢ数とに基づいて、前記ＴＢＳを取得することを特徴とする請求項１に記載のユーザ端末。
【請求項３】
前記制御部は、前記変更されたＴＢＳインデックス値における各ＲＢ数に対応するＴＢＳを規定するテーブルから、前記ＴＢＳを取得することを特徴とする請求項１又は請求項２に記載のユーザ端末。
【請求項４】
前記テーブルにおいて、前記変更されたＴＢＳインデックス値における少なくとも一つのＲＢ数に対応するＴＢＳは、変更前のＴＢＳインデックス値における同じＲＢ数のＴＢＳよりも小さく設定されることを特徴とする請求項３に記載のユーザ端末。
【請求項５】
前記特定の送信方式は、送信モード９又は送信モード１０であることを特徴とする請求項１から請求項４のいずれかに記載のユーザ端末。
【請求項６】
前記特定の値は、２８であり、前記変更されたＴＢＳインデックス値は、２６Ａであることを特徴とする請求項１から請求項５のいずれかに記載のユーザ端末。
【請求項７】
下り共有チャネルを送信する送信部と、
前記下り共有チャネルに用いられるトランスポートブロックサイズ（ＴＢＳ）を制御する制御部と、を具備し、
ユーザ端末において、前記ＴＢＳは、前記下り共有チャネルに用いられる変調符号化方式（ＭＣＳ）インデックス値に対応するトランスポートブロックサイズ（ＴＢＳ）インデックス値と、前記下り共有チャネルに割り当てられるリソースブロック（ＲＢ）数とに基づいて取得され、
前記ＴＢＳは、前記下り共有チャネルが特定の送信方式で送信され、かつ、前記ＭＣＳインデックス値が特定の値である場合、該特定の値に対応するＴＢＳインデックス値が変更され、変更されたＴＢＳインデックス値と前記ＲＢ数とに基づいて取得されることを特徴とする無線基地局。
【請求項８】
ユーザ端末において、下り共有チャネルを受信する工程と、
前記ユーザ端末において、前記下り共有チャネルに用いられる変調符号化方式（ＭＣＳ）インデックス値に対応するトランスポートブロックサイズ（ＴＢＳ）インデックス値と、前記下り共有チャネルに割り当てられるリソースブロック（ＲＢ）数とに基づいて、前記下り共有チャネルに用いられるＴＢＳを取得する工程と、を有し、
前記ユーザ端末は、前記下り共有チャネルが特定の送信方式で送信され、かつ、前記ＭＣＳインデックス値が特定の値である場合、該特定の値に対応するＴＢＳインデックス値が変更され、変更されたＴＢＳインデックス値と前記ＲＢ数とに基づいて、前記ＴＢＳを取得することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇなどともいう）も検討されている。
【０００３】
ＬＴＥなどの既存システムでは、リンクアダプテーションとして、変調方式と符号化率との少なくとも一つを適応的に調整する適応変調符号化（ＡＭＣ：Adaptive  Modulation  and  Coding）が行われる。具体的には、ＡＭＣでは、ユーザ端末からフィードバックされるチャネル品質識別子（ＣＱＩ：Channel  Quality  Indicator）に基づいて、下り共有チャネル（ＰＤＳＣＨ：Physical  Downlink  Shared  Channel）の変調方式と符号化率との少なくとも一つが適応的に制御される。
【先行技術文献】
【非特許文献】
【０００４】
【非特許文献１】3GPP  TS  36.300  Rel.8  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００５】
既存システムでは、ユーザ端末は、ＡＭＣにより適応的に制御される変調方式に基づいて、下り共有チャネルに用いられるトランスポートブロックのサイズ（トランスポートブロックサイズ（ＴＢＳ：Transport  Block  Size））を決定する。ユーザ端末は、決定したＴＢＳに基づいて符号化率を決定し、決定した符号化率に基づいて下り共有チャネルを復号する。
【０００６】
しかしながら、適応的に制御される変調方式に基づいて下り共有チャネルのトランスポートブロックサイズ（ＴＢＳ）が決定される場合、当該下り共有チャネルの送信方式（例えば、ＭＩＭＯ（Multiple-Input  and  Multiple-Output）のレイヤ数や送信モードなど）によっては、当該ＴＢＳに基づいて決定される符号化率が１を超える恐れがある。この結果、ユーザ端末が、下り共有チャネルを適切に受信及び／又は復号できなくなる恐れがある。
【０００７】
本発明は、かかる点に鑑みてなされたものであり、適応的に制御される変調方式に基づいて下り共有チャネルのトランスポートブロックサイズ（ＴＢＳ）が決定される場合、当該下り共有チャネルを適切に受信及び／又は復号可能なユーザ端末、無線基地局及び無線通信方法を提供することを目的とする。
【課題を解決するための手段】
【０００８】
本発明の一態様に係るユーザ端末は、下り共有チャネルを受信する受信部と、前記下り共有チャネルに用いられる変調符号化方式（ＭＣＳ）インデックス値に対応するトランスポートブロックサイズ（ＴＢＳ）インデックス値と、前記下り共有チャネルに割り当てられるリソースブロック（ＲＢ）数とに基づいて、前記下り共有チャネルに用いられるＴＢＳを取得する制御部と、を具備し、前記制御部は、前記下り共有チャネルが特定の送信方式で送信され、かつ、前記ＭＣＳインデックス値が特定の値である場合、該特定の値に対応するＴＢＳインデックス値が変更され、変更されたＴＢＳインデックス値と前記ＲＢ数とに基づいて、前記ＴＢＳを取得することを特徴とする。
【発明の効果】
【０００９】
本発明によれば、適応的に制御される変調方式に基づいて下り共有チャネルのトランスポートブロックサイズ（ＴＢＳ）が決定される場合、ユーザ端末が、当該下り共有チャネルを適切に受信及び／又は復号できる。
【図面の簡単な説明】
【００１０】
【図１】適応変調符号化（ＡＭＣ）の説明図である。
【図２】ＣＱＩテーブルの一例を示す図である。
【図３】ＭＣＳテーブルの一例を示す図である。
【図４】ＴＢＳテーブルの一例を示す図である。
【図５】送信方式と符号化率との関係を示す図である。
【図６】ＴＢＳテーブルの他の例を示す図である。
【図７】第２の態様に係るＭＣＳテーブルの一例を示す図である。
【図８】第２の態様に係る修正用テーブルの一例を示す図である。
【図９】本発明の一実施形態に係る無線通信システムの一例を示す概略図である。
【図１０】本発明の一実施形態に係る無線基地局の全体構成の説明図である。
【図１１】本発明の一実施形態に係る無線基地局の機能構成の説明図である。
【図１２】本発明の一実施形態に係るユーザ端末の全体構成の説明図である。
【図１３】本発明の一実施形態に係るユーザ端末の機能構成の説明図である。
【図１４】第１の態様に係る上位レイヤ制御情報の一例を示す図である。
【図１５】第２の態様に係る上位レイヤ制御情報の一例を示す図である。
【図１６】第３の態様に係る上位レイヤ制御情報の一例を示す図である。
【発明を実施するための形態】
【００１１】
図１−図４を参照し、無線通信システムにおける適応変調符号化（ＡＭＣ）について説明する。図１は、無線通信システムにおけるＡＭＣの説明図である。図２は、ＡＭＣで用いられるＣＱＩテーブルの一例を示す図である。図３は、ＡＭＣで用いられるＭＣＳ（Modulation  and  Coding  Scheme）テーブルの一例を示す図である。図４は、ＡＭＣで用いられるＴＢＳテーブルの一例を示す図である。
【００１２】
図１に示す無線通信システムにおいて、ユーザ端末（ＵＥ：User  Equipment）は、無線基地局（ｅＮＢ：eNodeB）からの参照信号に基づいてチャネル品質を測定し、測定されたチャネル品質に基づいてチャネル品質識別子（ＣＱＩ）を決定する（ステップＳ１１）。具体的には、ユーザ端末は、図２に示すＣＱＩテーブルを参照し、測定されたチャネル品質環境下において復調可能な変調方式及び符号化率を示すＣＱＩを決定する。なお、チャネル品質には、例えば、ＳＩＮＲ（Signal  to  Interference  Plus  Noise  Ratio）や、ＳＮＲ（Signal  to  Noise  Ratio）などが含まれる。
【００１３】
図２に示すように、ＣＱＩテーブルでは、チャネル品質識別子（ＣＱＩ）と変調方式と符号化率とが関連付けられる。例えば、図２では、ユーザ端末におけるチャネル品質に応じて、変調方式及び符号化率の１６種類の組み合わせが規定されている。このため、図２では、４ビットのＣＱＩを設けることで、当該１６種類の組み合わせを一意に識別できる。なお、ＣＱＩテーブルにおいて、ＣＱＩの値は、ＣＱＩインデックスと呼ばれてもよい。
【００１４】
ユーザ端末は、図２に示すＣＱＩテーブルを参照して決定されたＣＱＩを無線基地局にフィードバックする（ステップＳ１２）。例えば、図１では、ＣＱＩとして、４ビットのビット情報「０１０１（＝５）」が、ユーザ端末から無線基地局にフィードバックされる。なお、ＣＱＩは、上り制御チャネル（ＰＵＣＣＨ：Physical  Uplink  Control  Channel）、上り共有チャネル（ＰＵＳＣＨ：Physical  Uplink  Shared  Channel）などを用いて、フィードバックされる。
【００１５】
無線基地局は、ユーザ端末からフィードバックされたＣＱＩに基づいて、下り共有チャネル（ＰＤＳＣＨ）の変調方式、符号化率、ＴＢＳの少なくとも一つを決定する（ステップＳ１３）。具体的には、無線基地局は、図２に示すＣＱＩテーブルを参照し、フィードバックされたＣＱＩに対応する変調方式及び符号化率を取得する。また、無線基地局は、図３に示すＭＣＳテーブルを参照し、取得された変調方式に対応する変調次数（Modulation  Order）と、取得された符号化率に対応するトランスポートブロックサイズ（ＴＢＳ）インデックスと、を示すＭＣＳインデックスを取得する。
【００１６】
図３に示すように、ＭＣＳテーブルでは、ＭＣＳインデックスと変調次数とＴＢＳインデックスとが関連付けられる。図３では、変調次数とＴＢＳインデックスとの３２種類の組み合わせが規定されている。このため、図３では、５ビットのＭＣＳを設けることで、当該３２種類の組み合わせを一意に識別できる。なお、ＭＣＳインデックスとは、変調方式、符号化率及び（符号化率に対応する）ＴＢＳインデックスの少なくとも一つを識別する識別子である。また、ＴＢＳインデックスとは、トランスポートブロックサイズ（ＴＢＳ）を識別するトランスポートブロックサイズ（ＴＢＳ）識別子である。
【００１７】
例えば、図１に示すように、ＣＱＩとして４ビットのビット情報「０１０１（＝５）」がユーザ端末からフィードバックされる場合、無線基地局は、図２に示すＣＱＩテーブルを参照して、変調方式として「ＱＰＳＫ」、符号化率（×１０２４）として「４４９」を取得する。また、無線基地局は、図３に示すＭＣＳテーブルを参照して、「ＱＰＳＫ」に対応する変調次数「２」と、符号化率「４４９」に対応するＴＢＳインデックス「７」と、の組み合わせを示すＭＣＳインデックス「７」を取得する。
【００１８】
無線基地局は、決定されたＭＣＳインデックスをユーザ端末に通知する（ステップＳ１４）。例えば、図１では、ＭＣＳインデックスとして、５ビットのビット情報「００１１１（＝７）」が、無線基地局からユーザ端末に通知される。なお、ＭＣＳインデックスは、下り制御情報（ＤＣＩ）に含まれ、下り制御チャネル（ＰＤＣＣＨ：Physical  Downlink  Control  Channel）、拡張下り制御チャネル（ＥＰＤＣＣＨ：Enhanced  Physical  Downlink  Control  Channel）などを用いて、通知される。
【００１９】
ユーザ端末は、無線基地局から通知されたＭＣＳインデックスに基づいて、ＰＤＳＣＨの変調方式及び符号化率を取得する（ステップＳ１５）。具体的には、ユーザ端末は、図３に示すＭＣＳテーブルを参照し、フィードバックされたＭＣＳインデックスに対応する変調次数及びＴＢＳインデックスを取得する。ユーザ端末は、取得された変調次数に対応する変調方式を用いて、ＰＤＳＣＨを復調する。
【００２０】
また、ユーザ端末は、図４に示すＴＢＳテーブルを参照し、取得されたＴＢＳインデックスと、ＰＤＳＣＨに割り当てられるリソースブロック（ＲＢ）数と、に対応するトランスポートブロックサイズ（ＴＢＳ）を取得する。ここで、リソースブロック（ＲＢ）は、ＰＲＢ（Physical  Resource  Block）、或いは、ＰＲＢペアであってもよい。以下では、リソースブロック（ＲＢ）を「ＰＲＢ」と呼ぶものとする。
【００２１】
なお、図４に示すＴＢＳテーブルでは、ＰＲＢ数「１」〜「１０」のそれぞれのＴＢＳが示されるが、１１以上のＰＲＢ数（例えば、「１１」〜「１００」）それぞれのＴＢＳも規定されてもよい。また、ＰＤＳＣＨに割り当てられるＰＲＢ数は、ＤＣＩに含まれていてもよいし、ＤＣＩに含まれる情報に基づいてユーザ端末で決定されてもよい。また、当該ＰＲＢ数は、ＰＤＳＣＨの１トランスポートブロックあたりのＰＲＢ数であってもよい。
【００２２】
ユーザ端末は、取得されたＴＢＳに基づいて、例えば、式（１）により、符号化率を算出する。ユーザ端末は、算出された符号化率を用いて、ＰＤＳＣＨを復号する。
【数１】
0006042505.tif 000002
ここで、ＴＢＳは、ＴＢＳテーブル（例えば、図４）から取得されるＴＢＳである。また、ＲＥＰＤＳＣＨは、１ＰＲＢにおけるＰＤＳＣＨ用のリソースエレメント（ＲＥ）の数である。例えば、ＰＤＣＣＨがサブフレームの第１シンボルだけに配置される場合（ＣＦＩ（Channel  Format  Indicator）＝１）で、４ＣＲＳ（Cell-specific  Reference  Signal）ポートである場合、ＲＥＰＤＳＣＨは、１３６である。また、ＮＰＲＢは、ＰＤＳＣＨに割り当てられるＰＲＢ数である。また、Ｍは、図３に示すＭＣＳテーブルから取得される変調次数である。
【００２３】
例えば、図１に示すように、ＭＣＳインデックス「００１１１（＝７）」が無線基地局から通知される場合、ユーザ端末は、図３に示すＭＣＳテーブルを参照して、ＭＣＳインデックス「７」に対応する変調次数「２」及びＴＢＳインデックス「７」を取得する。ユーザ端末は、変調次数が「２」である変調方式「ＱＰＳＫ」を用いて、ＰＤＳＣＨを復調する。
【００２４】
また、ユーザ端末は、図４に示すＭＣＳテーブルを参照して、ＴＢＳインデックス「７」と、ＰＤＳＣＨに割り当てられるＰＲＢ数（ここでは、「６」とする）とに対応するＴＢＳ「７１２」を取得する。ユーザ端末は、取得されたＴＢＳに基づいて、ＰＤＳＣＨを復号する。
【００２５】
ところで、図４に示すＴＢＳテーブルにおける最大のＴＢＳインデックス「２６」に対するＴＢＳは、１ＰＲＢあたり１３６リソースエレメント（ＲＥ：Resource  Element）をＰＤＳＣＨに割り当て可能な場合（ＣＦＩ＝１で、４ＣＲＳポートの場合）に、符号化率が０．９３を超えないように設定される。なお、当該符号化率は、例えば、上記式（１）により決定される。
【００２６】
したがって、ＰＤＳＣＨの送信方式（例えば、ＭＩＭＯ（Multiple-Input  and  Multiple-Output）のレイヤ数、送信モード、参照信号の配置数など）によっては、符号化率が１を超えてしまう恐れがある。図５は、送信方式とＭＣＳインデックスと符号化率との関係を示す図である。なお、図５では、２０ＭＨｚ（１００ＰＲＢ）、ＣＦＩ＝１の場合を想定して符号化率が算出されるものとする。また、ＴＤＤ（Time  Division  Duplex）システムにおいて、下り用シンボルとガードシンボルと上り用のシンボルで構成される特別（ＳＰ）サブフレームは、ＳＰサブフレーム構成（Special  Subframe  Configuration）７を想定するものとする。
【００２７】
図５に示すように、６４ＱＡＭ（Quadrature  amplitude  modulation）を示すＭＳＣインデックス「２８」である場合、ＳＰサブフレームでは、２×２のＭＩＭＯ（Multiple-Input  and  Multiple-Output）（２レイヤの空間多重）で送信モード（ＴＭ）３／４、４×４のＭＩＭＯ（４レイヤの空間多重）でＴＭ９、４×４のＭＩＭＯでＴＭ３／４のいずれの送信方式においても、符号化率が１を超えてしまう。また、下り（ＤＬ）サブフレームでは、４×４のＭＩＭＯでＴＭ９の場合に、符号化率が１を超えてしまう。
【００２８】
このように、図４に例示するＴＢＳテーブルを用いる場合、特定の送信方式（例えば、ＳＰサブフレームや、４×４のＭＩＭＯでＴＭ９の場合のＤＬサブフレーム）で、符号化率が１を超える恐れがある。このような特定の送信方式でも符号化率を１未満とするために、「２８」よりも小さいＭＣＳインデックスを選択して、ＣＱＩに基づいて定められる変調方式よりも低次の変調方式を用いることも想定される。しかしながら、ＣＱＩに基づいて定められる変調方式より低次の変調方式に変更する場合、スペクトル利用効率が大幅に減少する恐れがある。
【００２９】
そこで、本発明者らは、適応的に制御される変調方式に基づいてＰＤＳＣＨ（下り共有チャネル）のＴＢＳが決定される場合、特定の送信方法でＰＤＳＣＨが送信されても、当該ＴＢＳに基づいて決定される符号化率が１を超えないように、ＴＢＳの決定方法を制御することを着想し、本発明に至った。
【００３０】
本発明の一態様において、ＰＤＳＣＨ（下り共有チャネル）を受信するユーザ端末は、ＭＣＳインデックスを受信し、ＴＢＳインデックスとＰＲＢ（リソースブロック（ＲＢ））数とＴＢＳとを関連付けるＴＢＳテーブルから、当該ＭＣＳインデックスに対応するＴＢＳインデックスと当該ＰＤＳＣＨに割り当てられるＰＲＢ数とに関連付けられるＴＢＳを取得する。また、ユーザ端末は、ＰＤＳＣＨが特定の送信方式で送信される場合、当該ＴＢＳテーブルから取得されるＴＢＳよりも小さい値のＴＢＳを取得する。ここで、取得されたＴＢＳに基づいて（例えば、上記式（１）により）算出される符号化率は、１未満となる。
【００３１】
また、本発明の一態様において、ＴＢＳテーブルから取得されるＴＢＳよりも小さい値のＴＢＳを取得（適用）することは、上位レイヤシグナリングにより指示されてもよい。ユーザ端末は、ＰＤＳＣＨの受信に用いられる上位レイヤ制御情報（例えば、ＰＤＳＣＨ−Ｃｏｎｆｉｇなど）に指示情報（例えば、後述するａｌｔＴＢＳやａｌｔＭｏｄ−ＴＢＳ−Ｔａｂｌｅなど）が含まれる場合に、ＴＢＳから取得されるＴＢＳよりも小さい値のＴＢＳを取得してもよい。
【００３２】
以下、本発明に係る無線通信方法を詳細に説明する。以下では、６４ＱＡＭ以下の変調方式を含むＭＣＳテーブルが用いられる場合を想定するが、２５６ＱＡＭ以下の変調方式を含むＭＣＳテーブルが用いられてもよい。なお、これらのＭＣＳテーブルの切り替えは、上位レイヤシグナリングにより行われてもよい。
【００３３】
また、以下において、ＰＤＳＣＨの特定の送信方式とは、送信モード（ＴＭ）９であること、ＴＭ９又はＴＭ１０であること、ＣＳＩ−ＲＳ（Channel  State  Information−Reference  Signal）のアンテナポート数が４又は８であること、３レイヤ以上の空間多重である（例えば、４×４のＭＩＭＯである）こと、及び、ＭＢＳＦＮ（Multicast-Broadcast  Single-Frequency  Network）サブフレームではないこと、の少なくとも一つであるものとするが、これらに限られない。
【００３４】
また、ＴＢＳインデックスの特定の値とは、６４ＱＡＭ以下の変調方式を含むＭＣＳテーブル（図３参照）において最大のＴＢＳインデックス値「２６」であるものとするが、これに限られない。また、ＰＲＢ数の特定の値とは、ＴＢＳテーブルにおいて規定される最大のＰＲＢ数「１００」であるものとするが、これに限られない。
【００３５】
また、本発明の一態様において、「ＰＤＳＣＨが特定の送信方式で送信される場合」に、ＴＢＳテーブルから取得されるＴＢＳよりも小さく、例えば、上記式（１）により求まる符号化率が１未満となる値のＴＢＳを取得するものとするが、当該小さい値のＴＢＳを取得する条件は、上記に限られない。例えば、当該条件は、「ＰＤＳＣＨが特定の送信方式で送信され、当該ＴＢＳインデックスが特定の値である場合」であってもよいし、「ＰＤＳＣＨが特定の送信方式で送信され、当該ＴＢＳインデックスが特定の値であり、かつ、ＰＤＳＣＨに割り当てられるＰＲＢ数が特定の値である場合」であってもよいし、他の条件であってもよい。
【００３６】
（第１の態様）
第１の態様では、ＰＤＳＣＨが特定の送信方式（例えば、ＴＭ９であること、ＴＭ９又はＴＭ１０であること、ＣＳＩ−ＲＳのアンテナポート数が４又は８であること、３レイヤ以上の空間多重であること、及び、ＭＢＳＦＮサブフレームではないこと、の少なくとも一つ）で送信され、ＴＢＳインデックスが特定の値（例えば、「２６」）である場合で、かつ、当該ＰＤＳＣＨに割り当てられるＰＲＢ数が特定の値（例えば、「１００」）である場合、ユーザ端末は、ＴＢＳインデックスとＰＲＢ数とＴＢＳとを関連付けるＴＢＳテーブルとは別に設定される値のＴＢＳを取得する。
【００３７】
図６は、ＴＢＳテーブルの一例を示す図である。なお、図６では、ＰＲＢ数（ＮＰＲＢ）が「９１」〜「１００」である場合だけが示されるが、ＰＲＢ数（ＮＰＲＢ）が「１」〜「９０」である場合にも同様にＴＢＳが規定される。また、ＰＲＢ数（ＮＰＲＢ）は、「１」〜「１００」に限られない。また、図６では、ＴＢＳインデックス「２５」、「２６」だけが示されるが、他のＴＢＳインデックス「１」〜「２４」、「２８」〜「３３」についても、ＰＲＢ数毎のＴＢＳが規定される。
【００３８】
図６に示すＴＢＳテーブルでは、ＴＢＳインデックス「２６」と、ＰＲＢ数（ＮＰＲＢ）「１００」とに対応するＴＢＳは、「７５３７６」である。ユーザ端末は、ＰＤＳＣＨが上記特定の送信方式で送信され、ＴＢＳインデックスが「２６」である場合で、かつ、当該ＰＤＳＣＨに割り当てられるＰＲＢ数が「１００」である場合、ＴＢＳテーブルに規定される「７５３７６」の代わりに、「７５３７６」よりも小さく、例えば、式（１）により求まる符号化率が１未満となる値のＴＢＳを取得する。ユーザ端末は、当該値のＴＢＳを用いて、ＰＤＳＣＨを復号する。
【００３９】
なお、「７５３７６」よりも小さい値は、予めユーザ端末に記憶（設定）されていてもよいし、上位レイヤシグナリング（例えば、ＲＲＣ（Radio  Resource  Control）シグナリング）やシステム情報（ＳＩＢ：System  Information  Block）などにより、無線基地局からユーザ端末に通知されてもよい。
【００４０】
また、ＰＤＳＣＨが特定の送信方式で送信される場合、特定の値（例えば、「２６」）のＴＢＳインデックス及び特定の値（例えば、「１００」）のＰＲＢ数用のＴＢＳとして、ＴＢＳテーブル（例えば、図６）とは別に設定される値を取得（適用）することは、上位レイヤシグナリングにより指示されてもよい。
【００４１】
例えば、ＰＤＳＣＨが特定の送信方式で送信される場合、特定の値（例えば、「２６」）のＴＢＳインデックス及び特定の値（例えば、「１００」）のＰＲＢ数用のＴＢＳとして、ＴＢＳテーブル（例えば、図６）とは別に設定される値を取得（適用）することを示す指示情報（例えば、ａｌｔＴＢＳ）が、上位レイヤ制御情報（例えば、ＰＤＳＣＨ−Ｃｏｎｆｉｇ）に含められてもよい（例えば、図１４参照）。
【００４２】
ユーザ端末は、上記指示情報（例えば、ａｌｔＴＢＳ）が上位レイヤ制御情報（例えば、ＰＤＳＣＨ−Ｃｏｎｆｉｇ）に含まれる場合、ＴＢＳインデックスが特定の値（例えば、「２６」）であり、かつ、当該ＰＤＳＣＨに割り当てられるＰＲＢ数が特定の値（例えば、「１００」）であれば、ＴＢＳテーブルとは別に設定される値を取得（適用）してもよい。一方、上記指示情報（例えば、ａｌｔＴＢＳ）が上位レイヤ制御情報（例えば、ＰＤＳＣＨ−Ｃｏｎｆｉｇ）に含まれない場合、ユーザ端末は、ＴＢＳテーブルからＴＢＳを取得してもよい。
【００４３】
第１の態様では、ＰＤＳＣＨが上記特定の送信方式で送信され、ＴＢＳインデックスが特定の値（例えば、「２６」）である場合で、かつ、当該ＰＤＳＣＨに割り当てられるＰＲＢ数が特定の値（例えば、「１００」）である場合、ＴＢＳテーブルとは別に設定される値のＴＢＳが用いられる。このため、上記特定の送信方式で同じ変調方式（例えば、６４ＱＡＭ）を用いる場合でも、符号化率を１未満とすることができる。この結果、ユーザ端末は、ＰＤＳＣＨを適切に受信及び／又は復号できる。
【００４４】
（第２の態様）
第２の態様では、ＰＤＳＣＨが特定の送信方式（例えば、ＴＭ９であること、ＴＭ９又はＴＭ１０であること、ＣＳＩ−ＲＳのアンテナポート数が４又は８であること、３レイヤ以上の空間多重であること、及び、ＭＢＳＦＮサブフレームではないこと、の少なくとも一つ）で送信され、ＴＢＳインデックスが特定の値（例えば、「２６」）である場合、ユーザ端末は、上記ＴＢＳテーブルに規定されていない値（例えば、「２６A」、または「３４」）のＴＢＳインデックスと、ＰＲＢ数と、ＴＢＳとを関連付ける修正用テーブルから、当該ＰＤＳＣＨに割り当てられるＰＲＢ数に関連付けられるＴＢＳを取得する。
【００４５】
具体的には、ＰＤＳＣＨが上記特定の送信方式で送信され、ＭＣＳインデックスが特定の値（例えば、「２８」）である場合、既存のＭＣＳテーブルではなく、新たなＭＣＳテーブルから、当該ＭＣＳインデックス「２８」に対応するＴＢＳインデックス「２６A」を取得する。ユーザ端末は、ＴＢＳインデックス「２６A」が新たなＭＣＳテーブルから取得された場合、上記修正用テーブルから、ＴＢＳを取得する。
【００４６】
図７は、第２の態様に係るＭＣＳテーブルの一例の説明図である。図７Ａは、既存のＭＣＳテーブルの一例を示し、図７Ｂは、第２の態様に係るＭＣＳテーブルの一例を示す。図７Ａに示すように、既存のＭＣＳテーブルでは、ＭＣＳインデックス「２８」は、６４ＱＡＭの変調次数「６」とＴＢＳインデックス「２６」とに関連付けられる。
【００４７】
一方、図７Ｂに示すように、新たなＭＣＳテーブルでは、ＭＣＳインデックス「２８」は、６４ＱＡＭの変調次数「６」と、新たなＴＢＳインデックス「２６A」とに関連付けられる。なお、新たに規定されるＴＢＳインデックスは、「２６A」でなくともよく、既存のＴＢＳテーブルで使用されていない値であればよい。
【００４８】
図８は、修正用テーブルの一例の説明図である。なお、図８では、ＰＲＢ数（ＮＰＲＢ）が「９１」〜「１００」である場合だけが示されるが、ＰＲＢ数（ＮＰＲＢ）が「１」〜「９０」である場合にも同様にＴＢＳが規定される。また、ＰＲＢ数（ＮＰＲＢ）は、「１」〜「１００」に限られない。
【００４９】
修正用テーブルでは、ＴＢＳテーブルに規定されていない値（例えば、「２６A」）のＴＢＳインデックスにおける、全ＰＲＢ数（ＮＰＲＢ）に対応するＴＢＳがそれぞれ規定される。具体的には、ＴＢＳインデックス「２６A」における各ＰＲＢ数（ＮＰＲＢ）のＴＢＳは、ＴＢＳインデックス「２６」における各ＰＲＢ数（ＮＰＲＢ）のＴＢＳよりも小さく設定されてもよい。
【００５０】
例えば、図８に示すように、ＴＢＳインデックス「２６A」におけるＰＲＢ数（ＮＰＲＢ）「１００」のＴＢＳは、ＴＢＳインデックス「２６」におけるＰＲＢ数「９５」〜「１００」のＴＢＳ「７１１１２」と同一に設定されてもよい。また、ＴＢＳインデックス「３４」におけるＰＲＢ数（ＮＰＲＢ）「１」〜「９９」のＴＢＳは、「７１１１２」よりも小さく、例えば、上記式（１）により求まる符号化率が１未満となる値に設定されてもよい。
【００５１】
なお、修正用テーブルでは、ＴＢＳインデックス「２６A」における全ＰＲＢ数のＴＢＳが、ＴＢＳインデックス「２６」の対応するＰＲＢ数のＴＢＳよりも小さく設定されなくともよく、一部のＰＲＢ数（例えば、「９１」〜「１００」）のＴＢＳだけが、ＴＢＳインデックス「２６」の対応するＰＲＢ数のＴＢＳよりも小さく設定されてもよい。
【００５２】
また、ＰＤＳＣＨが特定の送信方式で送信される場合、新たなＭＣＳテーブル（例えば、図７Ｂ）や、ＴＢＳテーブル（例えば、図６）の修正用テーブル（例えば、図８）を適用することは、上位レイヤシグナリングにより指示されてもよい。
【００５３】
例えば、ＰＤＳＣＨが特定の送信方式で送信される場合、新たなＭＣＳテーブル（例えば、図７Ｂ）や、ＴＢＳテーブル（例えば、図６）の修正用テーブル（例えば、図８）を適用することを示す指示情報（例えば、ａｌｔＭｏｄ−ＴＢＳ−Ｔａｂｌｅ）が、上位レイヤ制御情報（例えば、ＰＤＳＣＨ−Ｃｏｎｆｉｇ）に含められてもよい（例えば、図１５参照）。
【００５４】
ユーザ端末は、上記指示情報（例えば、ａｌｔＭｏｄ−ＴＢＳ−Ｔａｂｌｅ）が上位レイヤ制御情報（例えば、ＰＤＳＣＨ−Ｃｏｎｆｉｇ）に含まれる場合、新たなＭＣＳテーブル（例えば、図７Ｂ）からＭＣＳインデックス「２８」に対応するＴＢＳインデックス「２６A」を取得し、修正用テーブル（例えば、図８）からＴＢＳインデックス「２６A」とＰＤＳＣＨに割り当てられるＰＲＢ数に対応するＴＢＳを取得してもよい。
【００５５】
一方、上記指示情報（例えば、ａｌｔＭｏｄ−ＴＢＳ−Ｔａｂｌｅ）が上位レイヤ制御情報（例えば、ＰＤＳＣＨ−Ｃｏｎｆｉｇ）に含まれない場合、ユーザ端末は、既存のＭＣＳテーブル（例えば、図７Ａ）からＭＣＳインデックス「２８」に対応するＴＢＳインデックス「２６」を取得し、ＴＢＳテーブル（例えば、図６）からＴＢＳインデックス「２６」とＰＤＳＣＨに割り当てられるＰＲＢ数に対応するＴＢＳを取得してもよい。
【００５６】
第２の態様では、ＰＤＳＣＨが上記特定の送信方式で送信され、ＴＢＳインデックスが特定の値（例えば、「２６」）である場合、修正用テーブルから、当該ＰＤＳＣＨに割り当てられるＰＲＢ数に関連付けられるＴＢＳが取得される。このため、上記特定の送信方式で同じ変調方式（例えば、６４ＱＡＭ）を用いる場合でも、符号化率を１未満とすることができる。この結果、ユーザ端末は、当該下りデータを適切に受信及び／又は復号できる。
【００５７】
（第３の態様）
第３の態様では、ＰＤＳＣＨが特定の送信方式（例えば、ＴＭ９であること、ＴＭ９又はＴＭ１０であること、ＣＳＩ−ＲＳのアンテナポート数が４又は８であること、３レイヤ以上の空間多重であること、及び、ＭＢＳＦＮサブフレームではないこと、の少なくとも一つ）で送信され、ＴＢＳインデックスが特定の値（例えば、「２６」）である場合、ユーザ端末は、ＴＢＳテーブルから、上記特定の値のＴＢＳインデックスと当該ＰＲＢ数に所定の係数を乗算した値とに関連付けられるＴＢＳを取得する。
【００５８】
或いは、第３の態様では、ＰＤＳＣＨが上記特定の送信方式で送信され、ＴＢＳインデックスが特定の値（例えば、「２６」）であり、かつ、当該ＰＤＳＣＨに割り当てられるＰＲＢ数が特定の値（例えば、「１００」）である場合、ユーザ端末は、ＴＢＳテーブルから、上記特定の値のＴＢＳインデックスと当該ＰＲＢ数に所定の係数を乗算した値とに関連付けられるＴＢＳを取得してもよい。
【００５９】
或いは、ＰＤＳＣＨが上記特定の送信方式である場合、ＴＢＳインデックスの値やＰＲＢ数の値に関係なく、ユーザ端末は、ＴＢＳテーブルから、ＴＢＳインデックスと当該ＰＲＢ数に所定の係数を乗算した値とに関連付けられるＴＢＳを取得してもよい。
【００６０】
例えば、ユーザ端末は、下記式（２）を用いて、ＰＤＳＣＨに割り当てられるＰＲＢ数に所定の係数を乗算した値（すなわち、ＴＢＳテーブルを参照するためのＰＲＢ数（ＮＰＲＢ））を算出してもよい。
【００６１】
【数２】
0006042505.tif 000003
式（２）を用いてＰＤＳＣＨに割り当てられるＰＲＢ数（Ｎ’ＰＲＢ）に対して所定の係数（ここでは、０．９５）を乗算する場合、ＰＲＢ数（ＮＰＲＢ）に基づいて決定されるＴＢＳは、ＰＲＢ数（Ｎ’ＰＲＢ）に基づいて決定されるＴＢＳよりも小さくなる。また、所定の係数は、上位レイヤ信号で通知されても良い。
【００６２】
例えば、ＰＤＳＣＨが特定の送信方式で送信される場合（例えば、ＴＭ９又はＴＭ１０で、かつ、ＭＢＳＦＮサブフレームでない場合）、上記所定の係数（例えば、ｎＰＲＢ−Ｃｏｅｆｆ）が、上位レイヤ制御情報（例えば、ＰＤＳＣＨ−Ｃｏｎｆｉｇ）に含められてもよい（例えば、図１６参照）。
【００６３】
ユーザ端末は、上記所定の係数（例えば、ｎＰＲＢ−Ｃｏｅｆｆ）が上位レイヤ制御情報（例えば、ＰＤＳＣＨ−Ｃｏｎｆｉｇ）に含まれる場合、ＴＢＳインデックスが特定の値（例えば、「２６」）であれば、ユーザ端末は、上記所定の係数を乗算したＰＲＢ数に基づいて、ＴＢＳテーブルからＴＢＳを取得してもよい。
【００６４】
第３の態様では、ＰＤＳＣＨが上記特定の送信方式で送信される場合、ＰＲＢ数（Ｎ’ＰＲＢ）よりも小さい値のＰＲＢ数（ＮＰＲＢ）に基づいてＴＢＳが決定される。このため、上記特定の送信方式で同じ変調方式（例えば、６４ＱＡＭ）を用いる場合でも、符号化率を１未満とすることができる。この結果、ユーザ端末は、当該下りデータを適切に受信及び／又は復号できる。
【００６５】
（無線通信システム）
以下、本実施の形態に係る無線通信システムの構成について説明する。この無線通信システムでは、本発明の上記各態様に係る無線通信方法が適用される。なお、上記各態様に係る無線通信方法は、それぞれ単独で適用されてもよいし、組み合わせて適用されてもよい。
【００６６】
図９は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）などと呼ばれても良い。
【００６７】
図９に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。
【００６８】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、６個以上のＣＣ）を用いてＣＡ又はＤＣを適用することができる。
【００６９】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００７０】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【００７１】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００７２】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００７３】
各ユーザ端末２０は、ＬＴＥ、ＬＴＥ−Ａなどの各種通信方式に対応した端末であり、移動通信端末だけでなく固定通信端末を含んでもよい。
【００７４】
無線通信システム１においては、無線アクセス方式として、下りリンクにＯＦＤＭＡ（直交周波数分割多元接続）が適用され、上りリンクにＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅（ＣＣ）を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、上りリンクでＯＦＤＭＡが適用されてもよい。
【００７５】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【００７６】
下りＬ１／Ｌ２制御チャネルは、下り制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認情報（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００７７】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。送達確認情報（ＡＣＫ／ＮＡＣＫ）や無線品質情報（ＣＱＩ）などの少なくも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルが伝送される。
【００７８】
＜無線基地局＞
図１０は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【００７９】
下りリンクにより無線基地局１０からユーザ端末２０に送信されるユーザデータは、上位局装置３０から伝送路インターフェース１０６を介してベースバンド信号処理部１０４に入力される。
【００８０】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【００８１】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【００８２】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００８３】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００８４】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【００８５】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【００８６】
図１１は、本実施の形態に係る無線基地局１０の機能構成図である。なお、以下の機能構成は、無線基地局１０が有するベースバンド信号処理部１０４などによって構成される。図１１に示すように、無線基地局１０は、ＰＵＳＣＨ受信処理部１１１、ＰＵＣＣＨ受信処理部１１２、制御部１１３、ＰＤＳＣＨ送信処理部１１４、ＰＤＣＣＨ／ＥＰＤＣＣＨ送信処理部１１５、ＣＱＩテーブル１１６、ＭＣＳテーブル１１７を具備する。
【００８７】
ＰＵＳＣＨ受信処理部１１１は、ＰＵＳＣＨによるユーザデータ及び上位レイヤ制御情報の受信処理（例えば、復調、復号化など）を行う。具体的には、ＰＵＳＣＨ受信処理部１１１は、ユーザ端末２０からＰＵＳＣＨを介してフィードバックされるチャネル品質識別子（ＣＱＩ）を取得する。
【００８８】
ＰＵＣＣＨ受信処理部１１２は、ＰＵＣＣＨによる上り制御情報（ＵＣＩ）の受信処理（例えば、復調、復号化など）を行う。具体的には、ＰＵＣＣＨ受信処理部１１２は、ユーザ端末２０からＰＵＣＣＨを介してフィードバックされるＣＱＩを取得する。
【００８９】
ＰＵＳＣＨ受信処理部１１１及びＰＵＣＣＨ受信処理部１１２は、本発明に係る技術分野での共通認識に基づいて説明される信号処理器、信号処理回路又は信号処理装置、並びに、測定器、測定回路又は測定装置から構成することができる。
【００９０】
制御部１１３は、ＰＵＳＣＨ受信処理部１１１又はＰＵＣＣＨ受信処理部１１２で取得されたＣＱＩに基づいて、下り共有チャネル（ＰＤＳＣＨ）に適用する変調方式及び符号化率を決定する。具体的には、ＣＱＩテーブル１１６から、ＰＵＳＣＨ受信処理部１１１又はＰＵＣＣＨ受信処理部１１２で取得されたＣＱＩに対応する変調方式及び符号化率を取得する。
【００９１】
また、制御部１１３は、ＰＤＳＣＨに適用されるＭＣＳインデックスを決定する。具体的には、制御部１１３は、ＣＱＩテーブル１１６から取得された変調方式及び符号化率に対応するＭＣＳインデックスを、ＭＣＳテーブル１１７から取得する。なお、ＭＣＳは、上記変調方式及び符号化率に対応する変調次数及びトランスポートサイズ（ＴＢＳ）インデックスの少なくとも一つを示す。
【００９２】
制御部１１３は、本発明に係る技術分野での共通認識に基づいて説明されるコントローラ、制御回路又は制御装置から構成することができる。
【００９３】
ＰＤＳＣＨ送信処理部１１４は、ＰＤＳＣＨによるユーザデータ及び上位レイヤ制御情報の送信処理（例えば、符号化、変調など）を行う。具体的には、ＰＤＳＣＨ送信処理部１１４は、制御部１１３で決定された変調方式及び符号化率を用いて、ＰＤＳＣＨを変調及び符号化する。ここで、ＰＤＳＣＨが特定の送信方式（後述）で送信される場合、上位レイヤ制御情報は、ＴＢＳテーブルから取得されるＴＢＳよりも小さい値のＴＢＳを取得（適用）することを示す指示情報を含んでもよい。
【００９４】
具体的には、上位レイヤ制御情報（例えば、ＰＤＳＣＨ−Ｃｏｎｆｉｇ）は、特定の値（例えば、「２６」）のＴＢＳインデックス及び特定の値（例えば、「１００」）のＰＲＢ数用のＴＢＳとして、ＴＢＳテーブル（例えば、図６）とは別に設定される値を取得（適用）することを示す指示情報（例えば、ａｌｔＴＢＳ）を含んでもよい（第１の態様）。また、上位レイヤ制御情報（例えば、ＰＤＳＣＨ−Ｃｏｎｆｉｇ）は、新たなＭＣＳテーブル（例えば、図７Ｂ）や、ＴＢＳテーブル（例えば、図６）の修正用テーブル（例えば、図８）を適用することを示す指示情報（例えば、ａｌｔＭｏｄ−ＴＢＳ−Ｔａｂｌｅ）を含んでもよい（第２の態様）。また、上位レイヤ制御情報（例えば、ＰＤＳＣＨ−Ｃｏｎｆｉｇ）は、所定の係数（例えば、ｎＰＲＢ−Ｃｏｅｆｆ）を含んでもよい。
【００９５】
また、ＰＤＳＣＨ送信処理部１１４は、特定の送信方式でＰＤＳＣＨを送信するための送信処理を行ってもよい。ここで、特定の送信方式とは、例えば、ＴＭ９であること、ＴＭ９又はＴＭ１０であること、ＣＳＩ−ＲＳのポート数が４又は８であること、３レイヤ以上の空間多重であること、及び、ＭＢＳＦＮサブフレームではないこと、の少なくとも一つである。当該特定の送信方式を示す情報は、上位レイヤシグナリングにより、ユーザ端末２０に通知されてもよい。
【００９６】
ＰＤＣＣＨ／ＥＰＤＣＣＨ送信処理部１１５は、ＰＤＣＣＨ／ＥＰＤＣＣＨによる下り制御情報（ＤＣＩ）の送信処理（例えば、符号化、変調など）を行う。具体的には、ＰＤＣＣＨ／ＥＰＤＣＣＨ送信処理部１１５は、制御部１１３で決定されたＭＣＳインデックスを含むＤＣＩを生成し、送受信部１０３を介して送信する。
【００９７】
ＰＤＳＣＨ送信処理部１１４及びＰＤＣＣＨ／ＥＰＤＣＣＨ送信処理部１１５は、本発明に係る技術分野での共通認識に基づいて説明される信号生成器、信号生成回路又は信号生成装置とすることができる。
【００９８】
ＣＱＩテーブル１１６は、ＣＱＩと変調方式と符号率とを関連付けるテーブルである。ＭＣＳテーブル１１７は、ＭＣＳと変調次数とトランスポートブロックサイズ（ＴＢＳ）を示すＴＢＳインデックスとを関連付けるテーブルである。なお、ＭＣＳテーブル１１７は、既存のＭＣＳテーブル（図３、図７Ａ）であってもよいし、新たなＭＣＳテーブル（図７Ｂ）であってもよい（第２の態様）。
【００９９】
＜ユーザ端末＞
図１２は、本発明の一実施形態に係るに係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０１００】
複数の送受信アンテナ２０１で受信された無線周波数信号は、それぞれアンプ部２０２で増幅される。各送受信部２０３はアンプ部２０２で増幅された下り信号を受信する。送受信部２０３は、受信信号をベースバンド信号に周波数変換して、ベースバンド信号処理部２０４に出力する。
【０１０１】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１０２】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて各送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１０３】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１０４】
図１３は、本実施の形態に係るユーザ端末２０の機能構成図である。なお、以下の機能構成は、ユーザ端末２０が有するベースバンド信号処理部２０４などによって構成される。図１３に示すように、ユーザ端末２０は、測定部２１１、制御部２１２、ＰＵＳＣＨ送信処理部２１３、ＰＵＣＣＨ送信処理部２１４、ＰＤＣＣＨ／ＥＰＤＣＣＨ受信処理部２１５、ＰＤＳＣＨ受信処理部２１６、ＣＱＩテーブル２１７、ＭＣＳテーブル２１８、ＴＢＳテーブル２１９を具備する。
【０１０５】
測定部２１１は、無線基地局１０からの参照信号のチャネル品質を測定する。チャネル品質は、例えば、ＳＮＲ、ＳＩＮＲなどであってもよい。測定部２１１は、本発明に係る技術分野での共通認識に基づいて説明される信号処理器、信号処理回路又は信号処理装置、並びに、測定器、測定回路又は測定装置から構成することができる。
【０１０６】
制御部２１２は、測定部２１１で測定されたチャネル品質に基づいて、ＰＤＳＣＨに適用可能な変調方式及び符号化率を示すＣＱＩを、ＣＱＩテーブル２１７から取得する。ここで、ＰＤＳＣＨに適用可能な変調方式及び符号化率とは、例えば、ＰＤＳＣＨのブロックエラー率（ＢＬＥＲ）が１０％となる条件を満たす変調方式及び符号化率である。
【０１０７】
制御部２１２は、ＰＤＣＣＨ／ＥＰＤＣＣＨ受信処理部２１５で取得されたＭＣＳインデックスに基づいて、ＰＤＳＣＨに適用される変調方式及び／又は符号化率を取得する。具体的には、制御部２１２は、ＭＣＳテーブル２１８から、ＰＤＣＣＨ／ＥＰＤＣＣＨ受信処理部２１５で取得されたＭＣＳに対応する変調次数及びＴＢＳインデックスを取得する。
【０１０８】
制御部２１２は、ＴＢＳインデックスとＰＲＢ（リソースブロック）数とＴＢＳとを関連付けるＴＢＳテーブル２１９から、ＰＤＣＣＨ／ＥＰＤＣＣＨ受信処理部２１５で取得されたＭＣＳインデックスに対応するＴＢＳインデックスと当該ＰＤＳＣＨに割り当てられるＰＲＢ数とに関連付けられるＴＢＳを取得する。
【０１０９】
具体的には、制御部２１２は、ＰＤＳＣＨが特定の送信方式で送信される場合、ＴＢＳテーブル２１９から取得されるＴＢＳよりも小さい値のＴＢＳを取得する。上述の通り、特定の送信方式とは、例えば、ＴＭ９であること、３レイヤ以上の空間多重であること、及び、ＭＢＳＦＮサブフレームではないこと、の少なくとも一つである。
【０１１０】
制御部２１２は、ＰＤＳＣＨが上記特定の送信方式で送信され、ＴＢＳインデックスが特定の値（例えば、「２６」）であり、かつ、当該ＰＤＳＣＨに割り当てられるＰＲＢ数が特定の値（例えば、「１００」）である場合、ＴＢＳインデックスとＰＲＢ数とＴＢＳとを関連付けるＴＢＳテーブルとは別に設定される値のＴＢＳを取得してもよい（第１の態様）。
【０１１１】
制御部２１２は、ＰＤＳＣＨが上記特定の送信方式で送信され、ＴＢＳインデックスが特定の値（例えば、「２６」）である場合、ＴＢＳテーブルで規定されていない値（例えば、「３４」）のＴＢＳインデックスと各ＰＲＢ数のＴＢＳとを関連付ける修正用テーブルから、当該ＰＤＳＣＨに割り当てられるＰＲＢ数に関連付けられるＴＢＳを取得してもよい（第２の態様）。ここで、修正用テーブルにおける各ＰＲＢ数のＴＢＳは、上記ＴＢＳテーブル２１９における各ＰＲＢ数のＴＢＳより小さく設定されてもよい。
【０１１２】
制御部２１２は、ＰＤＳＣＨが上記特定の送信方式で送信され、ＴＢＳインデックスが特定の値（例えば、「２６」）である場合、ＴＢＳテーブル２１９から、上記特定の値のＴＢＳインデックスと当該ＰＲＢ数に所定の係数を乗算した値とに関連付けられるＴＢＳを取得してもよい（第３の態様）。なお、当該ＰＲＢ数に対する所定の係数の乗算値は、例えば、上記式（２）により算出される。
【０１１３】
或いは、制御部２１２は、ＰＤＳＣＨが上記特定の送信方式で送信され、ＴＢＳインデックスが特定の値（例えば、「２６」）であり、かつ、当該ＰＤＳＣＨに割り当てられるＰＲＢ数が特定の値（例えば、「１００」）である場合、ＴＢＳテーブル２１９から、上記特定の値のＴＢＳインデックスと当該ＰＲＢ数に所定の係数を乗算した値とに関連付けられるＴＢＳを取得してもよい（第３の態様）。
【０１１４】
或いは、制御部２１２は、ＰＤＳＣＨが上記特定の送信方式で送信される場合、ＴＢＳインデックスやＰＤＳＣＨに割り当てられるＰＲＢ数に関係なく、ＴＢＳテーブル２１９から、ＴＢＳインデックスと当該ＰＲＢ数に所定の係数を乗算した値とに関連付けられるＴＢＳを取得してもよい（第３の態様）。
【０１１５】
また、制御部２１２は、ＰＤＳＣＨの受信処理に用いられる上位レイヤ制御情報（例えば、ＰＤＳＣＨ−Ｃｏｎｆｉｇ）に指示情報が含まれる場合に、ＴＢＳから取得されるＴＢＳよりも小さい値のＴＢＳを取得してもよい。
【０１１６】
具体的には、制御部２１２は、上位レイヤ制御情報（例えば、ＰＤＳＣＨ−Ｃｏｎｆｉｇ）に指示情報（例えば、ａｌｔＴＢＳ）が含まれる場合、ＴＢＳインデックスが特定の値（例えば、「２６」）であり、かつ、当該ＰＤＳＣＨに割り当てられるＰＲＢ数が特定の値（例えば、「１００」）であれば、ＴＢＳテーブルとは別に設定される値を取得（適用）してもよい（第１の態様）。一方、制御部２１２は、上位レイヤ制御情報（例えば、ＰＤＳＣＨ−Ｃｏｎｆｉｇ）に指示情報（例えば、ａｌｔＴＢＳ）が含まれない場合、ＴＢＳテーブルからＴＢＳを取得してもよい。
【０１１７】
また、制御部２１２は、上位レイヤ制御情報（例えば、ＰＤＳＣＨ−Ｃｏｎｆｉｇ）に指示情報（例えば、ａｌｔＭｏｄ−ＴＢＳ−Ｔａｂｌｅ）が含まれる場合、新たなＭＣＳテーブル（例えば、図７Ｂ）からＭＣＳインデックスに対応するＴＢＳインデックスを取得し、修正用テーブル（例えば、図８）からＴＢＳインデックスとＰＤＳＣＨに割り当てられるＰＲＢ数に対応するＴＢＳを取得してもよい（第２の態様）。
【０１１８】
また、制御部２１２は、上位レイヤ制御情報（例えば、ＰＤＳＣＨ−Ｃｏｎｆｉｇ）に所定の係数（例えば、ｎＰＲＢ−Ｃｏｅｆｆ）が含まれる場合、ユーザ端末は、上記所定の係数を乗算したＰＲＢ数に基づいて、ＴＢＳテーブルからＴＢＳを取得してもよい（第３の態様）。
【０１１９】
一方、制御部２１２は、上位レイヤ制御情報（例えば、ＰＤＳＣＨ−Ｃｏｎｆｉｇ）に指示情報（例えば、ａｌｔＭｏｄ−ＴＢＳ−Ｔａｂｌｅ）が含まれない場合、既存のＭＣＳテーブル（例えば、図７Ａ）からＭＣＳインデックスに対応するＴＢＳインデックスを取得し、ＭＣＳテーブル（例えば、図６）からＴＢＳインデックスとＰＤＳＣＨに割り当てられるＰＲＢ数に対応するＴＢＳを取得してもよい。
【０１２０】
ＰＵＳＣＨ送信処理部２１３は、ＰＵＳＣＨによるユーザデータ及び上位レイヤ制御情報の送信処理（例えば、符号化、変調など）を行う。具体的には、ＰＵＳＣＨ送信処理２１３は、制御部２１２で決定されたＣＱＩを、送受信部２０３を介して送信する。
【０１２１】
ＰＵＣＣＨ送信処理部２１４は、ＰＵＣＣＨによる上り制御情報（ＵＣＩ）の送信処理（例えば、符号化、変調など）を行う。具体的には、ＰＵＣＣＨ送信処理部２１４は、制御部２１２で決定されたＣＱＩを、送受信部２０３を介して送信する。
【０１２２】
ＰＵＳＣＨ送信処理部２１３及びＰＵＣＣＨ送信処理部２１４は、本発明に係る技術分野での共通認識に基づいて説明される信号生成器、信号生成回路又は信号生成装置とすることができる。
【０１２３】
ＰＤＣＣＨ／ＥＰＤＣＣＨ受信処理部２１５は、ＰＤＣＣＨによる下り制御情報（ＤＣＩ）の受信処理（例えば、ブラインド復号、復調など）を行う。具体的には、ＰＤＣＣＨ／ＥＰＤＣＣＨ受信処理部２１５は、ＤＣＩに含まれるＭＣＳインデックスや、ＰＤＳＣＨに割り当てられるＰＲＢ数などを取得する。
【０１２４】
ＰＤＳＣＨ受信処理部２１６は、ＰＤＳＣＨによるユーザデータ及び上位レイヤ制御情報の受信処理（例えば、復調、復号など）を行う。具体的には、ＰＤＳＣＨ受信処理部２１６は、制御部２１２で取得された変調方式及びＴＢＳを用いて、ＰＤＳＣＨを変調及び符号化する。また、ＰＤＳＣＨ受信処理部２１６は、上記特定の送信方式で送信されるＰＤＳＣＨの受信処理を行ってもよい。
【０１２５】
ＰＤＣＣＨ／ＥＰＤＣＣＨ受信処理部２１５及びＰＤＳＣＨ受信処理部２１６は、本発明に係る技術分野での共通認識に基づいて説明される信号処理器、信号処理回路又は信号処理装置から構成することができる。
【０１２６】
ＣＱＩテーブル２１７は、上述のＣＱＩテーブル１１６と同様であるため、説明を省略する。また、ＭＣＳテーブル２１８は、上述のＭＣＳテーブル１１７と同様であるため、説明を省略する。ＴＢＳテーブル２１９は、ＴＢＳインデックスと、トランスポートブロックあたりのＰＲＢ数に応じたＴＢＳとを関連付けるテーブルである。ＴＢＳテーブル２１９は、第２の態様において上述の修正用テーブルを含んでもよい。
【０１２７】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１２８】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、無線基地局１０やユーザ端末２０は、プロセッサ（ＣＰＵ：Central  Processing  Unit）と、ネットワーク接続用の通信インターフェースと、メモリと、プログラムを保持したコンピュータ読み取り可能な記憶媒体と、を含むコンピュータ装置によって実現されてもよい。つまり、本発明の一実施形態に係る無線基地局、ユーザ端末などは、本発明に係る無線通信方法の処理を行うコンピュータとして機能してもよい。
【０１２９】
ここで、プロセッサやメモリなどは情報を通信するためのバスで接続される。また、コンピュータ読み取り可能な記録媒体は、例えば、フレキシブルディスク、光磁気ディスク、ＲＯＭ（Read  Only  Memory）、ＥＰＲＯＭ（Erasable  Programmable  ＲＯＭ）、ＣＤ−ＲＯＭ（Compact  Disc−ＲＯＭ）、ＲＡＭ（Random  Access  Memory）、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１３０】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末２０の全体を制御する。また、プロセッサは、記憶媒体からプログラム、ソフトウェアモジュールやデータをメモリに読み出し、これらに従って各種の処理を実行する。
【０１３１】
ここで、当該プログラムは、上記の各実施形態で説明した各動作を、コンピュータに実行させるプログラムであれば良い。例えば、ユーザ端末２０の制御部２１２は、メモリに格納され、プロセッサで動作する制御プログラムによって実現されてもよく、他の機能ブロックについても同様に実現されてもよい。
【０１３２】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１３３】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。また、コンポーネントキャリア（ＣＣ）は、キャリア周波数、セルなどと呼ばれてもよい。
【０１３４】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１３５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３６】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０１３７】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。
【０１３８】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１３９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１４０】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１４１】
１…無線通信システム
１０…無線基地局
１１…マクロ基地局
１２、１２ａ、１２ｂ…スモール基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
１１１…ＰＵＳＣＨ受信処理部
１１２…ＰＵＣＣＨ受信処理部
１１３…制御部
１１４…ＰＤＳＣＨ送信処理部
１１５…ＰＤＣＣＨ／ＥＰＤＣＣＨ送信処理部
１１６…ＣＱＩテーブル
１１７…ＭＣＳテーブル
２１１…測定部
２１２…ＣＱＩ決定部
２１３…ＰＵＳＣＨ送信処理部
２１４…ＰＵＣＣＨ送信処理部
２１５…ＰＤＣＣＨ／ＥＰＤＣＣＨ受信処理部
２１６…ＰＤＳＣＨ受信処理部
２１７…ＣＱＩテーブル
２１８…ＭＣＳテーブル
２１９…ＴＢＳテーブル
【要約】
【課題】高次の変調方式をサポートする適応変調符号化（ＡＭＣ）を可能とする。
【解決手段】本発明のユーザ端末は、下り共有チャネルを受信するユーザ端末であって、変調符号化方式（ＭＣＳ）インデックスを受信する受信部と、ＴＢＳインデックスとリソースブロック（ＲＢ）数とトランスポートブロックサイズ（ＴＢＳ）とを関連付けるＴＢＳテーブルから、前記ＭＣＳインデックスに対応するＴＢＳインデックスと前記下り共有チャネルに割り当てられるＲＢ数とに関連付けられるＴＢＳを取得する制御部と、を具備し、前記制御部は、前記下り共有チャネルが特定の送信方式で送信される場合、前記ＴＢＳテーブルから取得されるＴＢＳよりも小さい値のＴＢＳを取得することを特徴とする。
【選択図】図８【図１】
0006042505.tif 000004
【図２】
0006042505.tif 000005
【図３】
0006042505.tif 000006
【図４】
0006042505.tif 000007
【図５】
0006042505.tif 000008
【図６】
0006042505.tif 000009
【図７】
0006042505.tif 000010
【図８】
0006042505.tif 000011
【図９】
0006042505.tif 000012
【図１０】
0006042505.tif 000013
【図１１】
0006042505.tif 000014
【図１２】
0006042505.tif 000015
【図１３】
0006042505.tif 000016
【図１４】
0006042505.tif 000017
【図１５】
0006042505.tif 000018
【図１６】
0006042505.tif 000019